(57)【特許請求の範囲】
【請求項１】
建物の外壁面に対し取付部材を介して化粧材を取り付けるための取付構造であって、
上記取付部材は、上記外壁面における水平方向の全長に沿って固定される基板と、該基板の外側面における一方に形成されたレール片と、上記基板の外側面における他方に形成された係止片と、を備え、
上記化粧材は、上記外壁面に対向し且つ上記取付部材の屋外側の全長に沿って取り付けられる化粧基板と、該化粧基板の内側面における一方に形成され且つ上記レール片にボルトおよびナット体により結合される支持片と、上記化粧基板の内側面における他方に形成され且つ上記係止片に係合する取付片と、を備え、
上記取付部材の係止片は、上記基板の外側面から屋外側に突設された水平片と、該水平片の先端から斜め上側に傾斜して延びた上向き片とからなり、上記化粧材の取付片は、上記化粧基板の内側面から上記外壁面側に水平状に突設された基片と、該基片の先端から斜め下側に傾斜して延びた下向き片と、該下向き片の先端から外壁面側に水平状に延びた先片とからなり、
上記取付部材の基板と上記係止片の水平片および上向き片とに囲まれた係止溝内に、上記化粧材の取付片における下向き片および先片を挿入すると共に、上記取付部材のレール片に内設されている底広凹溝内に挿入されたナット体、および、該ナット体にネジ結合し且つ上記化粧材の支持片を貫通するボルトを用いることにより、上記化粧材を上記取付部材の屋外側の全長に沿って取り付けていると共に、
上記ナット体は、垂直断面が凸形状を呈し且つ垂直方向に沿って雌ネジ孔を有し、該ナット体を上記取付部材の底広凹溝内の長手方向に沿って移動可能に配置し、上記化粧材の支持片に設けた貫通孔または切欠溝を貫通するボルトの雄ネジ部を上記ナット体の雌ネジ孔にネジ結合することにより、上記取付部材に上記化粧材を取り付ける、
ことを特徴とする外壁面用化粧材の取付構造。
【請求項２】
前記ナット体の底面には、前記底広凹溝の底面との間の隙間を埋める弾性材が固着されている、
ことを特徴とする請求項１に記載の外壁面用化粧材の取付構造。
【請求項３】
前記ナット体の雌ネジ孔には、予め、前記ボルトの雄ネジ部がネジ結合されている、
ことを特徴とする請求項１または２に記載の外壁面用化粧材の取付構造。
【請求項４】
前記化粧材における化粧基板の内側面の上端および下端には、該化粧基板における垂直方向の中央側に開口する細溝を形成する断面Ｌ字形状の突片が形成され、
前記支持片の基端側、前記取付片の基片との上下両面、および、前記支持片と取付片との間の内側面には、それぞれ上記同様の細溝を形成する突片が設けられていると共に、
上下で対向する一対の細溝間の少なくとも１つには、前記建物の外壁面における水平方向に沿って隣接する２つの化粧材間に跨って配置され、上下何れかの細溝内に抜け止め片が当接する接続金具の半体が挿入される、
ことを特徴とする請求項１乃至３の何れか一項に記載の外壁面用化粧材の取付構造。
【発明の詳細な説明】
【技術分野】
【０００１】
本発明は、例えば、中高層ビルなどの建物の外壁面に対し、取付部材を介して化粧材を取り付けるための外壁面用化粧材の取付構造に関する。
【背景技術】
【０００２】
例えば、一戸建ての建物における外壁面（下地壁）に水平方向に沿って長尺な化粧材として、所定の断面形状に押出成形された水平方向に長尺なセラミック製の化粧材を取り付けるため、前記外壁面の下地面に、上向きの係合部を上下一対有する複数の短尺な化粧材取付具（第１部材）をネジ止めして固定し、該取付具の前記一対の係合部に上記化粧材の屋内面側に設けた上下一対の凹部を個別に係合することにより、該化粧材を複数の上記複数の化粧材取付具に支持させると共に、弾性を有する断面ほぼＴ字形状の封止材（第２部材）を、その水平な封止部が上記化粧材の屋内面側の上端部と上記外壁面の下地面との間に跨がり、且つ該封止材の垂直な部材本体を上記化粧材と化粧材取付具との間に挟持されるように装着してなる化粧材取付構造が提案されている（例えば、特許文献１参照）。
【０００３】
しかし、特許文献１に記載の前記化粧材取付構造では、前記封止材（第２部材）によって、セラミック製の長尺な前記化粧材を、複数の短尺な化粧材取付具に下向きに押さえ込むことにより、上記化粧材を拘束している。そのため、前記化粧材取付構造を、例えば、中高層ビルなどの建物の外壁面に適用した場合、上記化粧材が常に正圧あるいは負圧の風圧力を受けたり、地震や建物自体の振動などを長期間にわたり受けたり、あるいは、上記封止材が劣化などに起因して緩んだり、外れることによって、長尺で重い上記化粧材が脱落したり、更には重大な事故を招くおそれがあった。
【先行技術文献】
【特許文献】
【０００４】
【特許文献１】特許第３９３９１８８号公報（第１〜７頁、図１〜５）
【発明の概要】
【発明が解決しようとする課題】
【０００５】
本発明は、背景技術で説明した問題点を解決し、建物の外壁面に長尺な化粧材を、高強度をもって容易且つ迅速に取り付けられ、取り付け後において前記化粧材が脱落せず安全な外壁面用化粧材の取付構造を提供する、ことを課題とする。
【課題を解決するための手段および発明の効果】
【０００６】
本発明は、前記課題を解決するため、建物の外壁面に固定する取付部材に対し、長尺な化粧材を両者の係合部に係合し、且つ前記取付部材のレール片に設けた底広凹溝内にナット体を移動可能に配置し、上記化粧材に設けた支持片を貫通するボルトを前記ナット体にネジ結合する、ことに着想して成されたものである。
即ち、本発明による外壁面用化粧材の取付構造（請求項１）は、建物の外壁面に対し取付部材を介して化粧材を取り付けるための取付構造であって、前記取付部材は、上記外壁面における水平方向の全長に沿って固定される基板と、該基板の外側面における一方に形成されたレール片と、上記基板の外側面における他方に形成された係止片と、を備え、上記化粧材は、上記外壁面に対向し且つ上記取付部材の屋外側の全長に沿って取り付けられる化粧基板と、該化粧基板の内側面における一方に形成され且つ上記レール片にボルトおよびナット体により結合される支持片と、上記化粧基板の内側面における他方に形成され且つ上記係止片に係合する取付片と、を備え、
上記取付部材の係止片は、上記基板の外側面から屋外側に突設された水平片と、該水平片の先端から斜め上側に傾斜して延びた上向き片とからなり、上記化粧材の取付片は、上記化粧基板の内側面から上記外壁面側に水平状に突設された基片と、該基片の先端から斜め下側に傾斜して延びた下向き片と、該下向き片の先端から外壁面側に水平状に延びた先片とからなり、
上記取付部材の基板と上記係止片の水平片および上向き片とに囲まれた係止溝内に、上記化粧材の取付片における下向き片および先片を挿入すると共に、上記取付部材のレール片に内設されている底広凹溝内に挿入されたナット体、および、該ナット体にネジ結合し且つ上記化粧材の支持片を貫通するボルトを用いることにより、上記化粧材を上記取付部材の屋外側の全長に沿って取り付けていると共に、
上記ナット体は、垂直断面が凸形状を呈し且つ垂直方向に沿って雌ネジ孔を有し、該ナット体を上記取付部材の底広凹溝内の長手方向に沿って移動可能に配置し、上記化粧材の支持片に設けた貫通孔または切欠溝を貫通するボルトの雄ネジ部を上記ナット体の雌ネジ孔にネジ結合することにより、上記取付部材に上記化粧材を取り付ける、ことを特徴とする。
【０００７】
前記のような外壁面用化粧材の取付構造によれば、前記取付部材の係止片に前記化粧材の取付片を係合し、且つ上記取付部材のレール片と上記化粧材の支持片とをボルトおよびナット体により結合するので、以下の効果（１）〜（４）を奏することが可能となる。
（１）前記取付部材および前記化粧材は、何れも前記建物の外壁面における水平方向に沿った長尺材からなるため、建物の内部から取付作業ができるので、建物の外側に足場を設置する作業が不要になる。
（２）前記取付部材の係止片により形成される係止溝に、前記化粧材の取付片を挿入した状態で、前記取付部材のレール片内に配置した複数のナット体ごとに、上記取付部材の支持片を貫通するボルトをネジ結合する、という比較的簡単な作業により取り付けられるので、取り付けに伴う作業を未熟練者でも容易且つ迅速に行える。
（３）例えば、前記取付構造を中高層ビルなどの建物の外壁面に適用しても、正圧や負圧の風圧力を受けたり、地震や種々の振動を受けても、上記ボルトが緩みにくいので、上記化粧材が脱落するおそれが皆無となる。
（４）上記（３）のように、前記化粧材が脱落するおそれが皆無となるので、当該建物の周囲における安全性を長期間にわたり保証することが可能となる。
しかも、前記取付部材の係止片の係止溝に、前記化粧材の取付片を挿入する係合状態において、両部材の連結強度を飛躍的に高められると共に、前記ナット体を前記レール片の底広凹溝における所望の位置に配置して前記ボルトをネジ結合するので、取付作業を比較的少ない時間により容易に行える。その結果、前記効果（１）〜（３）を一層顕著に奏することができる。
加えて、前記取付部材のレール片と前記化粧材の支持片との結合が著しく容易で且つ確実となるので、前記効果（１）〜（３）を一層確実に奏することができる。
【０００８】
尚、前記建物には、一戸建てはもとより、中高層のビルや集合住宅、更には、各種の公共施設や工場などのプラントも含まれる。
また、前記取付部材および化粧材には、形状および寸法精度の高さ、重量の軽量さ、耐候性を含む耐食性、孔明け加工や切断加工の容易さなどの観点から、後述するアルミニウム合金の押出形材が推奨される。但し、化粧材については、ステンレス鋼板の溶接組立材または曲げ加工材や、エンジニアプラスチックなどの各種の硬質合成樹脂の成形材を適用しても良い。
更に、前記一方および他方は、相対的な位置関係を示し、例えば、一方が上方で且つ他方が下方の場合や、一方が下方で且つ他方が上方の場合が例示される。
【０００９】
また、前記水平方向とは、水平線に対して若干傾斜した方向も含んでいる。
更に、前記取付部材のレール片には底広凹溝が内設され、前記ナット体は、該底広凹溝の開口部の幅よりも底面側の幅が大きい断面形状であれば、凸形状のほか、台形状、円形状、長円形状、楕円形状などの断面を有する形態も含まれる。
【００１０】
また、前記ナット体の断面における凸形状の上部は、前記取付部材のレール片に内設された底広凹溝の開口部に進入される。
加えて、前記アルミニウム合金は、例えば、ＪＩＳ：Ａ６０６３−Ｔ５などである。
【００１１】
また、本発明には、前記ナット体の底面には、前記底広凹溝の底面との間の隙間を埋める弾性材が固着されている、外壁面用化粧材の取付構造（請求項２）も含まれる。
これによれば、上記ナット体を上記底広凹溝の長手方向に沿って、自由に移動させ且つ所望の位置に容易且つ確実に配置でき、且つナット体と取付部材との接触面積が広くなるので、前記効果（２）を一層顕著に奏することができる。
尚、上記弾性材は、スポンジ状の発泡樹脂（例えば、発泡ポリウレタン）や軟質合成樹脂、更にはフェルト材、あるいは、板パネやコイルバネとしても良い。
【００１２】
更に、本発明には、前記ナット体の雌ネジ孔には、予め、前記ボルトの雄ネジ部がネジ結合されている、外壁面用化粧材の取付構造（請求項３）も含まれる。
これによれば、上記ナット体から上方に突出する上記ボルトの頭を指先で摘んだ状態で、該ボルトを含むナット体を、前記底広凹溝の長手方向に所望の位置に容易且つ自在に移動させる（ずらす）ことができる（効果（５））。
更に、前記化粧材の支持片に切欠溝を設けた形態の場合には、係る切欠溝の位置で直ちに前記化粧材の支持片を底広凹溝の開口部を塞ぐようにセットし、且つ前記ホルトの締結作業を連続して行うことが可能となる（効果（６））。
尚、前記化粧材の支持片に貫通孔を設けた形態の場合には、ナット体を所望の位置に配置した後、一旦前記ボルトをナット体から外し、該ボルトを再び上記支持片の貫通孔に貫通させてから、再度ナット体の雌ネジ孔にネジ結合させる。
【００１３】
加えて、本発明には、前記化粧材における化粧基板の内側面の上端および下端には、該化粧基板における垂直方向の中央側に開口する細溝を形成する断面Ｌ字形状の突片が形成され、前記支持片の基端側、前記取付片の基片との上下両面、および、前記支持片と取付片との間の内側面には、それぞれ上記同様の細溝を形成する突片が設けられていると共に、上下で対向する一対の細溝間の少なくとも１つには、前記建物の外壁面における水平方向に沿って隣接する２つの化粧材間に跨って配置され、上下何れかの細溝内に抜け止め片が当接する接続金具の半体が挿入される、外壁面用化粧材の取付構造（請求項４）も含まれる。
これによれば、外壁面の長手方向に沿って隣接する一対の化粧材の間を、上記接続金具により、隙間を目立たせることなく、正圧および負圧による風圧力にも耐える強固な連結構造が可能となる（効果（７））。
尚、前記接続金具は、例えば、鋼板またはステンレス鋼板の打ち抜き加工や切断加工によって形成され、前記抜け止め片は、例えば、正面視が偏平な八角形状を呈する該金具本体の上辺および下辺の少なくとも一方に配設されている。
また、前記接続金具の半体とは、ほぼ半分程度や、約半体であっても良い。
【図面の簡単な説明】
【００１４】
【図１】第１の取付構造に用いる取付部材および化粧材などを示す部分斜視図。
【図２】上記第１の取付構造に用いる取付部材および化粧材の垂直断面図。
【図３】上記第１の取付構造の取り付け作業を示す概略図。
【図４】（Ａ）は上記第１の取付構造を示す断面図、（Ｂ）は第１の取付構造に用いる接続金具を示す概略図。
【図５】上記第１の取付構造にて隣接する化粧材の境界付近を示す概略図。
【図６】（Ａ）は上記第１の取付構造にて切欠溝を設けた化粧材を示す部分斜視図、（Ｂ）〜（Ｄ）は異なる形態の切欠溝を示す概略図。
【図７】第２の取付構造に用いる取付部材および化粧材の断面図。
【図８】上記第２の取付構造を示す断面図。
【発明を実施するための形態】
【００１５】
以下において、本発明を実施するための形態について説明する。
図１は、第１の取付構造１ａに用いる取付部材４ａと化粧材２１ａとを示す部分斜視図、図２は、係る取付部材４ａと化粧材２１ａとの垂直断面図である。
本発明による第１の取付構造１ａは、図１，図２に示すように、ビルのスラブ（建物）２の外壁面３における水平方向の全長に沿って固定される取付部材４ａと、該取付部材４ａの屋外側に対向し且つ当該取付部材４ａのの全長に沿って取り付けられる化粧材２１ａと、該化粧材２１ａと上記取付部材４ａとの間を連結するナット体１７およびボルト２０と、を備えている。上記スラブ２は、例えば、鉄筋コンクリートからなり、上面の床面と、下面の天井面とを有している。
上記取付部材４ａと化粧材２１ａとは、所要の断面形状を有するアルミニウム合金の押出形材を所定長さに切断し且つ孔明け加工などを施した長尺材であり、前記外壁面３の水平方向に沿って配設される。また、上記ナット体１７は、垂直断面が凸形状を呈するアルミニウム合金の押出形材を切断した短尺材である。
【００１６】
前記取付部材４ａは、図１，図２に示すように、前記スラブ２の外壁面３に固定される基板５と、その外側面５ａの上方（一方）に形成され且つ上向きに開口する底広凹溝８を内設するレール片６と、上記外側面５ａの下方（他方）に形成され且つ上向きの係止溝１６を有する係止片１３と、を長手方向の全長に沿って備えている。
上記レール片６は、垂直断面が四角枠形状の本体７と、該本体７に囲まれた底広凹溝８と、該底広凹溝８の幅よりも狭い幅の開口部１０と、該開口部１０を挟む左右一対の横片９と、を長手方向の全長に沿って有する。上記本体７の屋外側には、断面がＬ字形状の突片１１と、上向きに開口する細溝１２とが長手方向の全長に沿って形成されている。上記基板５には、本取付部材４ａを外壁面３に固定するためのネジを通す複数の貫通孔５ｂが水平方向に沿って間隔を置いて穿孔されている。また、上記係止片１３は、外側面５ａから後述する化粧材２１ａの内側面２２ａ側に水平状に突設された水平片１４と、該水平片１４の先端から斜め上向きに延びた上向き片１５と、これらに囲まれ且つ上向きに開口する係止溝１６とを、長手方向の全長に沿って備えている。
尚、上記レール片６に内設された底広凹溝８の幅は、前記ナット体１７の底面１７ｂの幅よりも若干広く、上記開口部１０の幅は、ナット体１７の上部１７ａの幅よりも若干広い。
【００１７】
また、前記化粧材２１ａは、図１，図２に示すように、垂直断面で、前記外壁面３に対向する垂直な化粧基板２２と、該化粧基板２２の内側面２２ａの上方（一方）に形成され、且つ前記取付部材４ａの底広凹溝８の開口部１０を塞ぐ水平な支持片２３と、上記内側面２２ａの下方（他方）に形成され、且つ前記取付部材４ａの係止溝内１６に下向きに進入して係合する取付片２５と、を長手方向の全長に沿って備えている。上記支持片２３には、複数の貫通孔２４が長手方向に沿って間隔を置いて穿孔されると共に、該支持片２３の内側面２２ａ側の基端の上下両面には、上下一対の突片２９と、該突片２９と前記内側面２２ａとの間に位置する上下一対の細溝３０とが全長に沿って形成されている。
【００１８】
また、前記取付片２５は、前記内側面２２ａから前記外壁面３側に水平状に突設された基片２６と、該基片２６の先端から斜め下側に傾斜して延びた下向き片２７と、該下向き片２７の先端から前記外壁面３側に水平状に延びた先片２８と、を長手方向の全長に沿って有している。上記基片２６の内側面２２ａ側である基端の上下両面には、上下一対の突片２９と、それらと前記内側面２２ａとの間に位置する上下一対の細溝３０とが全長に沿って形成されている。
更に、前記化粧基板２２の内側面２２ａの上端および下端には、垂直方向の中央側に向いて開口する細溝３０を形成する断面Ｌ字形状の突片２９が上下対称に形成されている。尚、前記化粧基板２２の内側面２２ａにおいて、互い対向する上下一対の細溝３０は、図２で示すように、上下で３組が位置している。但し、後述するように、前記支持片２３と取付片２５との挟まれた内側面２２ａに、前記同様の突片２９ａおよび細溝３０を更に設けても良い。
【００１９】
前記ナット体１７は、図１に示すように、平面視が直方形状で且つ垂直断面が凸形状を呈し、その上部１７ａの頂面と底面１７ｂとの間には、雌ネジ孔１８が垂直に貫通している。前記底面１７ｂには、平面視が該ナット体１７と同じ直方形状であり、前記取付部材４ａの底広凹溝８の底面との間の隙間を埋める弾性材１９が固着されている。係る弾性材１９は、例えば、スポンジ状の発泡合成樹脂からなり、該弾性材１９における上記ナット体１７の雌ネジ孔１８の下端側には、前記ボルト２０の雄ネジ部２０ａを昇降可能に受け入れるための貫通孔または凹部（何れも図示せず）が形成されている。尚、上記弾性材１９には、軟質合成樹脂、フェルト材、またはガラス繊維の塊片などからなるものを適用しても良い。
【００２０】
前記取付構造１ａを構成するには、図３に示すように、予め、前記取付部材４ａのレール片６に内設された底広凹溝８内およびその開口部１０内に、底面１７ｂに弾性材１９を有する複数のナット体１７が移動可能に配置され、該ナット体１７ごとの雌ネジ孔１８には、ボルト２０の雄ネジ部２０ａが仮結合されている。
先ず、図３に示すように、建物であるスラブ２における外壁面３の水平方向の全長に沿って、前記取付部材４ａをその基板５の前記貫通孔５ｂを貫通するコンクリートネジｃｓを、上記スラブ２にネジ込むことによって固定する。
次に、上記ボルト２０をナット体１７から外した後、図３に示すように、上記取付部材４ａの係止溝１６内に、前記化粧材２１ａにおける取付片２５の下向き片２７および先片２８を全長に亘って挿入し、係る状態で、図３中の矢印で示すように、化粧材２１ａの支持片２３が、取付部材４ａの底広凹溝８の開口部１０上に接近するように、斜め上向きの傾斜姿勢から垂直姿勢になるよう回転させる。
【００２１】
次いで、図４（Ａ）に示すように、前記化粧材２１ａの取付片２５が取付部材４ａの係止溝１６内に係合し、且つ上記化粧材２１ａの支持片２３が取付部材４ａの底広凹溝８の開口部１０を塞いだ状態で、上記支持片２３の貫通孔２４から、座金２０ｂを介したボルト２０の雄ネジ部２０ａを、上記底広凹溝８内および開口部１０内における所望の位置に配置されたナット体１７ごとの雌ネジ孔１８にネジ結合させる。上記の状態において、同時に、取付部材４ａの細溝１２内に化粧材２１ａの支持片２３における下側の突片２９が進入し、且つ化粧材２１ａの支持片２３における下側の細溝３０内に取付部材４ａの突片１１が進入している。尚、係る突片１１によって下側の細溝３０が使用されてしまうため、図４（Ａ）に示すように、支持片２３と取付片２５との間の内側面２２ａに下向きの細溝３０を形成する突片２９ａを更に付設しておくことが望ましい。また、上記座金２０ｂは、バネ座金にしても良い。
更に、図４（Ａ）中の一点鎖線で例示するように、例えば、図示の前後（長手）方向で隣接する一対の化粧材２１ａ同士の境界に跨って、接続金具３１を配置する。
上記接続金具３１は、例えば、ステンレス鋼板の打ち抜き材からなり、図４（Ｂ）に示すように、正面視が俵形状、紡錘形状、または扁平な八角形状の金具本体３２と、その上辺の設けた斜め上向きで先尖形状の抜け止め片３３と、該抜け止め片３３の下側に位置する台形状の凹み３４と、を備えている。尚、抜け止め片３３と凹み３４とは、金具本体３２の下辺側にも、上下対称に形成しても良い。
【００２２】
図４（Ａ）および図５に示すように、長手方向で隣接する一対の化粧材２１ａの境界に跨り、且つ係る化粧材２１ａ同士の化粧基板２２の内側面２２ａにおいて、互いに対向する上下一対の細溝３０間に、前記接続金具３１のほぼ半体ずつを挿入する。図５に示す例では、上下３組の互いに対向する上下一対の細溝３０間のうち、上側と下側との一対の細溝３０間ごとであって、予め、図５で右側の化粧材２１ａの細溝３０同士間に、接続金具３１のほぼ半体を強制的に挿入し、それらの抜け止め片３３を、上側の細溝３０に引っ掛けて拘束する。係る状態で、図５で右側の化粧材２１ａの端面から外側（左側）に飛び出した接続金具３１のほぼ半体を、左側の化粧材２１ａにおける同じ位置ごとの上下一対の細溝３０間に挿入する。尚、図５中の符号ｓは、上記一対の化粧材２１ａ間の隙間を示す。
図５では、上下３組の互いに対向する一対の細溝３０のうち、上側と下側の組に、所要のサイズの金具本体３２を有する接続金具３１を挿入したが、前記突片２９ａによる細溝３０を含む中間（中段）側の組で且つ上下一対の細溝３０間にも、上記同様の接続金具３１を挿入しても良い。
【００２３】
以上のような外壁面用化粧材の取付構造１ａによれば、前記取付部材４ａの係止片１３の係止溝１６に、前記化粧材２１ａの取付片２５を挿入し、且つ前記取付部材４ａのレール片６に内設した底広凹溝８内に移動自在に配置したナット体１７の雌ネジ孔１８に、上記化粧材２１ａの支持片２３に設けた貫通孔２４を貫通するボルト２０の雄ネジ部２０ａをネジ結合している。その結果、前記効果（１）〜（６）を確実に奏することができる。しかも、長手方向で隣接する化粧材２１ａ同士の境界に跨って、接続金具３１のほぼ半体ずつを挿入するので、前記効果（７）を奏することもできる。
【００２４】
図６（Ａ）の部分斜視図は、前記化粧材２１ａの支持片２３に、前記外壁面３側に開口する直線状の切欠溝２４ａを複数設け、係る切欠溝２４ａを貫通するボルト２０の雄ネジ部２０ａを、取付部材４ａの底広凹溝８内とその開口部１０内とにおける所望の位置に配置された前記ナット体１７の雌ネジ孔１８にネジ結合する形態を示す。係る切欠溝２４ａを有する化粧材２１ａを用いる形態の前記取付構造１ａによれば、予め、取付部材４ａの底広凹溝８内および開口部１０内に位置するナット体１７にボルト２０を仮ネジ結合した状態で、該ボルト２０の頭を指先で摘みつつ、所望の位置に移動させた状態のまま、上記化粧材２１ａの支持片２３を上記取付部材４ａの開口部１０を塞ぐように回転させて、直ちに上記ボルト２０の雄ネジ部２０ａをナット体１７の雌ネジ孔１８にネジ結合することができる。
【００２５】
更に、上記切欠溝２４ａは、例えば、図６（Ｂ）〜（Ｄ）に示すように、平面視がＬ字形状の切欠溝２４ｂ、平面視が斜め方向に向いた切欠溝２４ｃ、あるいは、平面視で両側面に奥側に向かった複数の傾斜辺を対称に有し、前記ボルト２０の雄ネジ部２０が抜け出しにくい切欠溝２４ｄの何れかとしても良い。
以上のような支持片２３に切欠溝２４ａ〜２４ｄを設けた化粧材２１ａを用いる外壁面用化粧材の取付構造１ａによっても、前記効果（１）〜（７）を奏することが可能となる。
【００２６】
図７は、本発明による第２の外壁面用化粧材の取付構造１ｂに用いる取付部材４ｂと、化粧材２１ｂとを含む垂直断面図である。
上記取付部材４ｂは、図７に示すように、前記同様の基板５と、該基板５の外側面５ａの上方（他方）に形成された前記同様の係止片１３と、前記外側面５ａの下方（一方）に形成され且つ開口部１０が下向きに開口する底広凹溝８を内設するレール片６と、該レール片６の本体７の屋外側に形成された下向きの突片１１および細溝１２と、を図示の前後方向の全長に沿って備えている。
また、上記化粧材２１ｂは、図７に示すように、前記同様の化粧基板２２と、該化粧基板２２の内側面２２ａの上方（他方）に形成された前記同様の取付片２５と、前記内側面２２ａの下方（一方）に形成された前記同様の支持片２３と、該支持片２３の基端側および取付片２５の基片２６の上下面、ならびに上記内側面２２ａの上端および下端に設けられた前記同様の突片２９および細溝３０と、を全長に沿って備えている。
【００２７】
図８は、第２の外壁面用化粧材の取付構造１ｂを示す垂直断面図である。
前記と同様に、予め、底広凹溝８内および開口部１０内に弾性材１９を含む複数のナット体１７を移動可能に配置した前記取付部材４ｂを、コンクリートネジｃｓにより、建物のスラブ２の外側面３における全長に沿って固定する。
次に、図８に示すように、上記取付部材４ｂの係止片１３の係止溝１６内に、前記化粧材２１ｂの取付片２５の下向き片２７および先片２８を挿入して係合した状態で、上記化粧材２１ｂを斜め下向きの傾斜姿勢から垂直姿勢に回転させる。
その結果、図８に示すように、上記取付部材４ｂの底広凹溝８の開口部１０は、上記化粧材２１ｂの支持片２３により塞がれる。係る状態で、上記支持片２３の貫通孔２４から、座金２０ｂを介した上向きのボルト２０の雄ネジ部２０ａを、上記底広凹溝８内および開口部１０内における所望の位置に配置されたナット体１７ごとの雌ネジ孔１８にネジ結合させる。
【００２８】
次いで、前記接続金具３１を長手方向で隣接する前記化粧材２１ｂ同士の境界に跨って、前記同様に配設することにより、前記取付構造１ｂが構成される。
以上のような第２の外壁面用化粧材の取付構造１ｂによれば、前記効果（１）〜（７）を奏することができる。
更に、前記化粧材２１ｂの支持片２３に設けた貫通孔２４に替えて、前記切欠溝２４ａ〜２４ｄの何れかを形成しても良い。上記切欠溝２４ａ〜２４ｄを有する化粧材２１ｂを用いた形態の前記取付構造１ｂによっても、前記効果（１）〜（７）を奏することが可能となる。
【００２９】
本発明は、以上において説明した各形態に限定されるものではない。
例えば、前記取付構造１ａ，１ｂに用いる取付部材４ａ，４ｂは、長尺な化粧材２１ａ，２１ｂに対して、比較的短尺な複数個を併用することも可能である。
また、前記ナット体１７は、前記同様の形状を有する鋳造材または鍛造材としたり、あるいは、垂直断面の外形が前記同様の凸形状を呈し、且つ内側に任意の断面形状の中空部を有するアルミ合金の中空押出形材としても良い。係る形態の場合、前記雌ネジ孔１８は、上下の２箇所に形成される。
更に、前記ナット体１７の底面１７ｂに固着される弾性材１９は、前記ボルト２０の雄ネジ部２０ａの進入に支障のない上記底面１７ｂに固定する複数の板バネあるいは復数のコイルバネとしても良い。
また、前記化粧材２１ａ，２１ｂの化粧基板２２の外側面は、平坦な垂直面のほか、横方向に沿った縞模様となる微細な複数の凸条が等間隔あるいは不等間隔に形成されるか、多数の微細な凸条が上記外側面の全体に形成されていても良い。
加えて、前記化粧材２１ａ，２１ｂの化粧基板２２の外側面には、ＬＥＤスクリーンや太陽電池パネルなどを更に付設する形態としても良い。
【産業上の利用可能性】
【００３０】
本発明によれば、ビルなどの建物の外壁面に長尺な化粧材を、高強度をもって容易且つ迅速に取り付けられ、且つ取り付け後において前記化粧材が脱落せず安全な外壁面用化粧材の取付構造を実用的に提供することが可能となる。
【符号の説明】
【００３１】
１ａ，１ｂ………外壁面用化粧材の取付構造
２…………………スラブ（建物）
３…………………外壁面
４ａ，４ｂ………取付部材
５…………………基板
５ａ………………外側面
６…………………レール片
８…………………底広凹溝
１０………………開口部
１３………………係止片
１４………………水平片
１５………………上向き片
１６………………係止溝
１７………………ナット体
１７ｂ……………ナット体の底面
１８………………雌ネジ孔
１９………………弾性材
２０………………ボルト
２０ａ……………雄ネジ部
２１ａ，２１ｂ…化粧材
２２………………化粧基板
２２ａ……………内側面
２３………………支持片
２４………………貫通孔
２４ａ〜２４ｄ…切欠溝
２５………………取付片
２６………………基片
２７………………下向き片
２８………………先片
２９………………突片
３０………………細溝
３１………………接続金具
３３………………抜け止め片
【図１】
0006718700.tif 000002
【図２】
0006718700.tif 000003
【図３】
0006718700.tif 000004
【図４】
0006718700.tif 000005
【図５】
0006718700.tif 000006
【図６】
0006718700.tif 000007
【図７】
0006718700.tif 000008
【図８】
0006718700.tif 000009